(57)【要約】【課題】  紙シートから折り曲げ成形によって形作られ、変形切込み線を底面と側面の境界に備える包装用紙箱及びその展開シートにおいて、組み上げた際に底面の平坦さを維持し得る構造を持った包装用紙箱の提供。【解決手段】  平坦な底面を備えた包装用紙箱であって、前記底面の境界の一部又は全部に変形切込み線を備え、前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みを備え、前記枝切込みは、前記境界から底面の方向へ離脱させて設けることを特徴とする包装用紙箱。【選択図】      図１
2014097819.tif 000002
【特許請求の範囲】
【請求項１】
平坦な底面を備えた包装用紙箱であって、
前記底面の境界の一部又は全部に変形切込み線を備え、
前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みを備え、
前記枝切込みは、前記境界から底面の方向へ離脱させて設けることを特徴とする包装用紙箱。
【請求項２】
平坦な底面を備えた包装用紙箱であって、
前記底面の境界の一部又は全部に変形切込み線を備え、
前記変形切込み線は、
前記境界に沿う直線軌道で断続的に設けられた複数の幹切込みと、前記直線軌道の一方へ離脱した位置から引き方向に存在する次の幹切込みの反引き方向端へ連続する枝切込みと、各幹切込みの引き方向端から前記直線軌道の他方引き方向へ離脱した位置に至る枝切込みとを備える変形切込み線、
又は、
前記境界に沿う直線軌道で断続的に設けられた複数の幹切込みと、前記直線軌道の一方へ離脱した位置から引き方向に存在する次の幹切込みの反引き方向端へ連続する枝切込みと、前記直線軌道の他方へ離脱した位置から引き方向に存在する次の幹切込みの反引き方向端へ連続する枝切込みとを備える変形切込み線であることを特徴とする包装用紙箱。
【請求項３】
直方体状の包装用紙箱であって、
前記天面の境界の一部又は全部に変形切込み線を備え、
前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みを備え、
前記枝切込みは、前記境界から天面の方向へ離脱させて設けることを特徴とする前記請求項１又は請求項２のいずれかに記載の包装用紙箱。
【請求項４】
直方体状の包装用紙箱であって、
前記天面の境界の一部又は全部に変形切込み線を備え、
前記変形切込み線は、
前記境界に沿う直線軌道で断続的に設けられた複数の幹切込みと、前記直線軌道の一方へ離脱した位置から引き方向に存在する次の幹切込みの反引き方向端へ連続する枝切込みと、各幹切込みの引き方向端から前記直線軌道の他方引き方向へ離脱した位置に至る枝切込みとを備える変形切込み線、
又は、
前記境界に沿う直線軌道で断続的に設けられた複数の幹切込みと、前記直線軌道の一方へ離脱した位置から引き方向に存在する次の幹切込みの反引き方向端へ連続する枝切込みと、前記直線軌道の他方へ離脱した位置から引き方向に存在する次の幹切込みの反引き方向端へ連続する枝切込みとを備える変形切込み線であることを特徴とする前記請求項１又は請求項２のいずれかに記載の包装用紙箱。
【発明の詳細な説明】
【技術分野】
【０００１】
本発明は、例えば、食品や医薬品等を収納するための包装用紙箱の構造に関する。
【背景技術】
【０００２】
従来、食品や医薬品等を収納するための包装用紙箱は、通常、一枚又は複数枚の紙シート（植物繊維その他の繊維を膠着させてシート状に製造したもの、又はそれにコーティングや彩色等を施したもの）から折り曲げ成形によって形作られており、開封や成形など種々の目的で、当該箱を分断するための便宜として、ミシン目と呼ばれる切込み線が設けられているものが多い。
【０００３】
具体的には、その切込み線を採用して、当該切込み線に沿って分離することにより開封する箱、当該切込み線に挟まれたジッパーを分離することにより開封する箱、又は当該切込み線に沿って分離し開閉可能となる蓋を備えた開口部を有する箱等が提供されている。
昨今では、資源ごみとして回収される際の便宜として、いったん組み上げられた箱を再び展開する為の切込み線を備えることに対する要請が少なくない。
【０００４】
ところが、単なる断続的な切込み線は、破断に比較的大きな力を要するのみならず、破断方向が切込み線から外れた意図せぬ破れが生じやすい。
そこで今日では、断続的に設けられた直線軌道の切込みの先端（反引き側）に、反引き方向の前記直線軌道から離脱した位置から直線軌道上引き方向へ向かう切込み（枝切込み）を連続させた変形切込み線を設けることにより、前記直線軌道に復帰しつつ次々と連続して破断することが出来る様に施された切込み線を備える箱も提供されている（例えば、下記特許文献１乃至特許文献４参照。）。
【先行技術文献】
【特許文献】
【０００５】
【特許文献１】特開２００４−２２４３６８号公報
【特許文献２】特開２００７−０４５５０２号公報
【特許文献３】特開２０１１−２２５２２９号公報
【特許文献４】特開２０１１−２２５２３０号公報
【発明の概要】
【発明が解決しようとする課題】
【０００６】
しかしながら、前記変形位切込み線は、例えば、自立性を与えるべき箱の底面と側面との境界に設けることによって、組立時において変形切込み線を有する位置と有さない位置とで底面の位置に段差が生じ、自立安定性を損なう場合がある。例えば、前記枝切込みを境界の天面側に設けた場合には（例えば、図１（Ｃ）参照）、当該変形切込み線近傍の底面が天面側へ陥没し、展示する際に転倒し易くなる他、外形が不均一となり、複数の箱を並べる際における整頓状態、積み重ね性、又は梱包の際における収納状態が悪化するという問題がある。
【０００７】
本発明は、上記実情に鑑みてなされたものであって、紙シートから折り曲げ成形によって形作られ、変形切込み線を底面と側面の境界に備える包装用紙箱及びその展開シートにおいて、組み上げた際に底面の平坦さを維持し得る構造を持った包装用紙箱の提供を目的とする。
【課題を解決するための手段】
【０００８】
上記課題を解決すべく為された本発明による包装用紙箱は、平坦な底面を備えた包装用紙箱であって、前記底面の境界の一部又は全部に変形切込み線を備え、前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みを備え、前記枝切込みは、前記境界から底面の方向へ離脱させて設けることを特徴とする（例えば、図１（Ｂ）又は図８参照。）。
尚、ここで、境界に沿う軌道とは、境界と略一致した軌道を採るという意味であって、境界の軌道と完全に一致した軌道を含む。また、前記境界からの離脱とは、境界の側方へずれることを言う。
【０００９】
本発明による包装用紙箱は、その他にも、平坦な底面を備えた包装用紙箱であって、前記底面の境界の一部又は全部に変形切込み線を備え、前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みと、各幹切込みの引き方向端から前記直線軌道の他方引き方向へ離脱した位置に至る枝切込みとを備える変形切込み線（例えば、図１（Ａ）、図３、図５、図６、図７、又は図９参照。）、又は、前記境界に沿う直線軌道で断続的に設けられた複数の幹切込みと、前記直線軌道の一方へ離脱した位置から引き方向に存在する次の幹切込みの反引き方向端へ連続する枝切込みと、前記直線軌道の他方へ離脱した位置から引き方向に存在する次の幹切込みの反引き方向端へ連続する枝切込みとを備える変形切込み線（例えば、図１０又は図１１参照。）であることを特徴とする包装用紙箱として構成することもできる。
【００１０】
この場合、前記境界からの離脱についてのずれ幅は、境界の左右について対照的又は千鳥状等、一定のパターンを以って、変形切込み線が連続する領域の全長に亘り均等であることが、境界線を挟む双方の面を平坦に保つうえで望ましい。
前記ずれ幅を均等としない場合（例えば、図８、図９、又は図１１参照。）には、そのズレ幅が小さい方の側がその境界線に対してその差分に比例した量だけ陥没することになると考えられるので、平坦化する面の側へのズレ幅が大きくなる様に留意する必要がある。
【００１１】
また、直方体状の包装用紙箱として構成する場合にあっては、天面の境界の一部又は全部に変形切込み線を備え、前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みを備え、前記枝切込みは、前記境界から天面の方向へ離脱させて設ける包装用紙箱としても良い。
【００１２】
或いは、直方体状の包装用紙箱として構成し、前記天面の境界の一部又は全部に変形切込み線を備え、前記変形切込み線は、前記境界に沿う直線軌道で断続的に設けられた複数の幹切込みと、前記直線軌道の一方へ離脱した位置から引き方向に存在する次の幹切込みの反引き方向端へ連続する枝切込みと、各幹切込みの引き方向端から前記直線軌道の他方引き方向へ離脱した位置に至る枝切込みとを備える変形切込み線、又は、前記境界に沿う直線軌道で断続的に設けられた複数の幹切込みと、前記直線軌道の一方へ離脱した位置から引き方向に存在する次の幹切込みの反引き方向端へ連続する枝切込みと、前記直線軌道の他方へ離脱した位置から引き方向に存在する次の幹切込みの反引き方向端へ連続する枝切込みとを備える変形切込み線である包装用紙箱としても良い。
【発明の効果】
【００１３】
本発明による包装用紙箱によれば、例えば、自立性、又は積載する際の基台としての機能を与えるべき箱の底面又は天面とそれに隣接する面との境界に前記変形位切込み線を設けたとしても、組立時において変形切込み線を有する位置と有さない位置とで底面又は天面の位置に段差が生じることはなく、自立した際の安定性や基面としての機能を確実に維持し、展示する際に転倒することが回避され、積み上げた際にも安定して崩れ難くなり、又は梱包の際に収納状態が悪化することを防止することができる。
【図面の簡単な説明】
【００１４】
【図１】（Ａ）（Ｂ）：本発明による包装用紙箱の例を示す背面図と右側面図であり、（Ｃ）：従来の包装用紙箱の一例を示す背面図と右側面図である。
【図２】本発明による包装用紙箱の一例を示す左側面図である。
【図３】本発明による包装用紙箱の例を示す平面図である。
【図４】本発明による包装用紙箱の例を示す正面図である。
【図５】本発明による包装用紙箱の例を示す底面図である。
【図６】本発明による包装用紙箱の一例を示す偏平化時の一例を示す説明図であって、  （Ａ）：正面図、  （Ｂ）：前底支持片及び右底支持片から後方を臨む正面図、  （Ｃ）：左側面及び背面から後方を臨む正面図である。
【図７】本発明による包装用紙箱の展開シートの一例を示す平面図である。
【図８】本発明による包装用紙箱の展開シートの一例を示す要部平面図である。
【図９】本発明による包装用紙箱の展開シートの一例を示す要部平面図である。
【図１０】本発明による包装用紙箱の展開シートの一例を示す要部平面図である。
【図１１】本発明による包装用紙箱の展開シートの一例を示す要部平面図である。
【発明を実施するための形態】
【００１５】
以下、本発明による包装用紙箱（以下、紙箱と記す。）の実施の形態を、その展開シートの実施の形態と共に、詳細に説明する。
図１（Ａ）（Ｂ）に示す包装用紙箱は、二態様の安定した起立状態を実現すべく、平坦な底面となり得る面を複数（当該例では二つ）備えた直方体状六面体の包装用紙箱である。
＜展開シート＞
当該紙箱は、四つの側面１，２，３，４、上蓋５、及び底板６、並びに前記上蓋５を下支えする蓋支持片７、前記底板６を下支えする底支持片８，９，１０、糊代１１，９ａ，１０ａ、保形片１２、及び突っ張り片１４を備える展開シートに対し、折り曲げ成形及び糊付けを施すことによって組み上がるものである（図７参照）。
【００１６】
前記上蓋５は、当該紙箱の上開口部を封じる方形状の天面５ａと、封鎖状態を維持すべく前面に沿って差し入れる差し込み片５ｂを備える。
【００１７】
前記側面は、前記前面１、左側面２、背面３、及び右側面４を一連に備えてなり、右側面４の端縁に沿って前記前面１の端部に接着する糊代（以下、第一糊代１１と記す。）が延在する。
【００１８】
前記前面１は、当該紙箱の前方を封じる方形状の紙片であって、上縁部中央に開封口１ａを囲う断続的な切込み線Ａを備え、当該前面１の上縁に沿って当該前面１の裏面側へ折り返し接着する保形片１２が延在すると共に、同前面１の下縁に沿って前記底支持片（以下、前底支持片８と記す。）が延在する。当該前底支持片８は、前記底板６の約１／２の奥行きを持ち、前記前面１との境界線上に断続的な切込み線Ｂを備える。
【００１９】
前記背面３は、当該紙箱の後方を封じる前記前面１と同形状の紙片であって、その略中央にその全高に亘る断続的な切込み線（以下、分離切込み線Ｃと記す。）を備えると共に、同背面３の上縁及び下縁における当該分離切込み線Ｃを境とする右半分にそれぞれ変形切込み線（以下、それぞれ第一切込み線Ｄ及び第二切込み線Ｅと記し、それらをあわせて切込み線と記す。）を備え、当該背面３の上縁に沿って前記上蓋５の天面５ａが延在すると共に、同背面３の下縁に沿って前記底板６が延在する。前記天面５ａ及び底板６は、当該紙箱の上方及び下方を封じる形状を持つ。
【００２０】
前記左側面２及び右側面４は、各々同形状を呈して当該紙箱の左側方と右側方を封じる紙片であって、その上縁に沿って前記蓋支持片７が延在すると共に、その下縁に沿って前記底支持片（左底支持片９及び右底支持片１０）を備える。
特に、右側面４は、その上縁及び下縁における略後半分にそれぞれ変形切込み線（以下、第三切込み線Ｆ及び第四切込み線Ｇと記す）を備えると共に、前半分の中央部に前方へ凸となる半円形状の摘み部１５を備え、当該摘み部１５の輪郭を構成する断続的な切込み線（以下、摘み切込み線Ｈと記す。）と、その上下後端からそれぞれ第三切込み線Ｆの前端と第四切込み線Ｇの前端に至る変形切込み線（以下、それぞれ第五切込み線Ｉ及び第六切込み線Ｊと記す。）を備える。
【００２１】
前記底板６は、当該紙箱の下方の略全域を封じる方形状の紙片であって、右後方の角部から斜め内側に位置する前縁右端部へ向けて直線的に走る折り線（以下、第一折り線６ａと記す。）を備えると共に、当該底板６の前縁に沿って前記天面５ａと等寸法の奥行きを持った突っ張り片１４が延在する。
前記第一折り線６ａは、後に記す組み立ての際の便宜を図るものである。
即ち、組み立ての際に底板６にねじれが生じ、意図しない箇所で曲りが生じる虞があることから、予め、曲りが生じても比較的支障の少ない箇所に補助的折れ線（脆弱部）として前記第一折り線６ａを入れ、前記ねじれへの対応性を付加したものである。
【００２２】
前記突っ張り片１４は、前記第一折り線６ａを有する左右いずれかの端部に面取りが施された方形状の紙片であって、その高さ（奥行き）は、前記保形片１２の高さ（奥行き）が加わって前記側面１，２，３，４の高さと略等しくなる相補的関係を保つ寸法に設定されている。
前記保形片１２は、前記前面１の上縁に沿ってその略全長（前記第一糊代１１が貼着される領域を省いても良い）に亘って延在し、上記の如く前記前面１の上縁に沿って当該前面１の背面３側へ折り返し接着する方形状の紙片である。
【００２３】
当該保形片１２は、折り返された際に前記開封口１ａと向合する方形状の切欠き部１３をその上部中央に備え、当該切欠き部１３の奥行きを超える奥行きを持つ。
【００２４】
前記底支持片は、前記前底支持片８の他、左側面２及び右側面４の下縁に沿って延在し、いずれか一方（当該例では右側面４の底支持片（以下、右底支持片１０と記す。）。）は、底板６の表面に貼着される糊代（以下、第三糊代１０ａと記す。）及び前記前底支持片８を下支えする扇形（三角形等でも良い。）の挟持部１０ｂを備え、他方（当該例では左側面２の底支持片（以下、左底支持片９と記す。）。）は、前記前底支持片８の表面に貼着される糊代（以下、第二糊代９ａと記す。）及び前記底板６及び前記前底支持片８を下支えする支持部９ｂを備える。
【００２５】
前記左右底支持片９，１０は、各々が連続する側面２，４下縁の前後方向糊代側の端から、内側４５度の方向へ直線的に折り線（以下、第二折り線９ｃ及び第三折り線１０ｃと記す。）を備え、当該第二折り線９ｃ及び第三折り線１０ｃ上に断続的な切込み線（図示省略）を備える。
前記蓋支持片（左蓋支持片及び右蓋支持片）７，７は、左側面２及び右側面４の上縁に沿って延在する台形状の紙片である。
【００２６】
＜組み立て＞
上記の如く形成された展開シートを用い、以下の通り折り曲げ成形が成される。
即ち、当該例では、先ず、前記保形片１２を前面に折り重ねて貼着する。
次に、四つの側面で長方形断面の筒を形成する様に折った状態で前記第一糊代１１を前面の裏面右縁に接着し、各側面１，２，３，４に対して前記前底支持片８、左底支持片９、及び右底支持片１０を前記筒の内側へ直角に折り曲げた状態で、前記第三糊代１０ａを底板６の表面に貼着し、前記第二糊代９ａを前記前底支持片８の表面に貼着する。この際、底板６を前底支持片８の上に重ねることによって、前底支持片８の右端部が底板６の右端前方部と右底支持片１０の挟持部１０ｂの間に挟持されると共に、前記突っ張り片１４は、前記前面１に対しつ突っ張り力を加えつつその上端が前記保形片１２の下端に当接する。これによって、底板６、前底支持片８、左底支持片９、及び右底支持片１０が、組み上げられた際に密着して一体化し、当該紙箱の内空部の底内面が平坦となり、同内空部の高さが固定される。
かかる状態で、更に、蓋支持片７，７を内側へ折り、上蓋５を閉め、その差し込み片５ｂを前面１及び保形片１２の内側へ差し入れることによって直方体状の紙箱が完成する。
【００２７】
＜変形切込み線＞
上記の如く完成した紙箱は、その仕様に応じて自立可能又は積載可能であることが使用の目的の一つである場合がある。
【００２８】
前記摘み部１５を押し入れて前記摘み切込み線Ｈを破断し、第五切込み線Ｉ及び第六切込み線Ｊ、第三切込み線Ｆ及び第四切込み線Ｇ、並びに第一切込み線Ｄ及び第二切込み線Ｅの破断を経て側方へ押し開き、最後に分離切込み線Ｃを破断して取り外す。当該紙箱では、この様に押し開かれた領域が第二の開口部となり、前記左側面２が第二の底面となる。
尚、当該例における左側面２を囲む四方の側縁には、前記変形切込み線が無く、変形切込み線を有する場合の様に当該左側面２を底面とすることによる起立安定性が阻害されることはない。
【００２９】
しかしながら、当該例の様に底面構成片と側面との境界線、即ち、当該紙箱の自立性に最も影響を与える側面１，２，３，４いずれかの下縁の全部又は一部に、変形切込み線を有する場合には、その変形切込み線の態様に応じて当該使用の目的（自立安定性又は積載性等）を損なう場合がある。
そこで、本発明による紙箱では、少なくとも底面構成片と側面１，２，３，４との境界線には、後に挙げる変形切込み線を備える構造とし、必要に応じて天面５ａと側面１，２，３，４との境界線にも、後に挙げる変形切込み線を前記使用の目的に副う態様で備える構造を採る。
【００３０】
前記変形切込み線の第一の形態は、前記境界線に沿う直線軌道で、且つ一定長（３ｍｍから１５ｍｍ）一定ピッチ（３．５ｍｍから１９ｍｍ）で断続的に設けられた複数の幹切込み（直線に限らず蛇行を含む。）αと、前記直線軌道の一方へ離脱した位置から引き方向に存在する次の幹切込みαの反引き方向端へ、入射角（直線軌道との角度）３０度から６０度（例えば、４５度）で連続する一定長（１ｍｍから５ｍｍ）の枝切込みβと、各幹切込みαの引き方向端から前記直線軌道の他方引き方向へ離脱角（直線軌道との角度）３０度から６０度（例えば、４５度）で離脱した位置に至る前記枝切込みβの長さと同じ長さの枝切込みγとを備える変形切込み線である（例えば、図７又は図９参照。）。
【００３１】
前記変形切込み線の第二の形態は、前記境界線に沿う直線軌道で、且つ一定長（３ｍｍから１５ｍｍ）一定ピッチ（３．５ｍｍから１９ｍｍ）で断続的に設けられた複数の幹切込み（直線に限らず蛇行を含む。）αと、前記直線軌道の一方へ離脱した位置から引き方向に存在する次の幹切込みαの反引き方向端へ、入射角（直線軌道との角度）３０度から６０度（例えば、４５度）で連続する一定長（１ｍｍから５ｍｍ）の枝切込みβと、前記直線軌道の他方へ離脱した位置から引き方向に存在する次の幹切込みαの反引き方向端へ入射角（直線軌道との角度）３０度から６０度（例えば、４５度）で連続する前記枝切込みβの長さと同じ長さ（長さが異なる例として、例えば、図１１参照。）の枝切込みδを備える変形切込み線である（例えば、図１０参照。）。
【００３２】
上記両変形切込み線は、前記境界線からの離脱について、境界線（直線軌道）の左右へのずれ幅は、その境界線に対して対照的又は千鳥状等、一定のパターンを以って、変形切込み線が連続する領域の全長に亘り均等であることが、境界線を挟む双方の面を平坦に保つ上で必要となる（図７参照）。
前記ずれ幅を均等としない場合には、そのズレ幅が小さい方の側がその境界線に対してその差分に比例した量だけ陥没することになると考えられるので、自立時の安定性を得ようとする場合には、その枝切込みは、前記境界線から底面の方向へ多く離脱させて設ける必要がある（例えば、図１（Ｂ）参照。）。積載時の安定性をも得ようとする場合には、天面５ａと側面１，２，３，４との境界線に設けた変形切込み線について、天面５ａの方向へ多く離脱させて設ける必要がある（例えば、図８、図９、又は図１１参照）。
【００３３】
前記変形切込み線の第三の形態は、前記境界線に沿う直線軌道で、且つ一定長（３ｍｍから１５ｍｍ）一定ピッチ（３．５ｍｍから１９ｍｍ）で断続的に設けられた複数の幹切込み（直線に限らず蛇行を含む。）αと、前記直線軌道の一方へ離脱した位置から引き方向に存在する次の幹切込みαの反引き方向端へ、入射角（直線軌道との角度）３０度から６０度（例えば、４５度）で連続する一定長（１ｍｍから５ｍｍ）の枝切込みβを備える変形切込み線である。自立時の安定性を得ようとする場合には、その枝切込みβは、前記境界線から底面の方向へ離脱させて設ける必要がある（例えば、図１（Ｂ）参照。）。積載時の安定性をも得ようとする場合には、天面５ａと側面１，２，３，４との境界に設けた変形切込み線について、天面５ａの方向へ離脱させて設ける必要がある（例えば、図１（Ｂ）又は図８参照。）。
【００３４】
当該変形切込み線の各々は、その前記直線軌道上への投影領域が、当該直線軌道の全域を隙間無く満たし、若しくは枝切込みの長さ未満の一様な間隔を隔てて間欠的に満たすものとすることが望ましい。
【００３５】
＜偏平化＞
前記上蓋５を開き、当該紙箱の底中央部を内空部に向けて加圧すると、前記底板６及び突っ張り片１４、前底支持片８、左底支持片９、及び右底支持片１０が上方向に外れて分離し、当該底板６による保形が解除される。その際、前記第三糊代１０ａ及び第二糊代９ａが前底支持片８及び底板６を各々が延在する方向（当該例では、左方向及び右方向。）へそれぞれ引き、前記第二折り線９ｃ及び前記第三折り線１０ｃにおいて下から見た谷折りを伴いながら、当該紙箱の偏平化がなされる。この偏平化状態は、内容物の装填工程に供される前の予備加工としてなされる場合もある。
【００３６】
本発明による紙箱の構成は、上記例に限定されるものではなく、単数の上向き開口部に対峙する底面を囲む縁、又は複数の上向きの開口部に対峙する底面を囲む縁の全てから段差が生じる様な変形切込み線を排除し、又は、単数の上向き開口部に対峙する底面を囲む縁、又は複数の上向きの開口部に対峙する底面を囲む縁に沿って設けられた切込み線の全てが、前記第一乃至第三の変形切込み線及び直線成分のみからなる断続的な切込み線のみである構成が採られていれば良い。
また、上記底面に対峙する天面５ａを積載時における基面とする場合には、当該天面５ａを囲む縁についても同様の条件を満たす必要がある。
【符号の説明】
【００３７】
Ａ  切込み線（開封口），Ｂ  切込み線（前底支持片），Ｃ  分離切込み線，
Ｄ  第一切込み線，Ｅ  第二切込み線，Ｆ  第三切込み線，Ｇ  第四切込み線，
Ｈ  摘み切込み線，Ｉ  第五切込み線，Ｊ  第六切込み線，
α  幹切込み，β  枝切込み，γ  枝切込み，δ  枝切込み，
１  前面，１ａ  開封口， 
２  左側面，３  背面，４  右側面，
５  上蓋，５ａ  天面，５ｂ  差し込み片， 
６  底板，６ａ  第一折り線，
７  蓋支持片（左蓋支持片及び右蓋支持片），
８  （前）底支持片，
９  （左）底支持片，９ａ  第二糊代，９ｂ  支持部，９ｃ  第二折り線，
１０  （右）底支持片，１０ａ  第三糊代，１０ｂ  挟持部，１０ｃ  第三折り線，
１１  第一糊代，１２  保形片，１３  切欠き部，１４  突っ張り片，１５  摘み部，
【図１】
2014097819.tif 000003
【図２】
2014097819.tif 000004
【図３】
2014097819.tif 000005
【図４】
2014097819.tif 000006
【図５】
2014097819.tif 000007
【図６】
2014097819.tif 000008
【図７】
2014097819.tif 000009
【図８】
2014097819.tif 000010
【図９】
2014097819.tif 000011
【図１０】
2014097819.tif 000012
【図１１】
2014097819.tif 000013